(57)【要約】【課題】設置される電子機器の姿勢に合わせた向きで文字列を表示させる。【解決手段】本発明の表示構造は、機器に設けられ、文字列が表記された表示部を有する表示シートと、前記文字列が表面及び裏面に表記された複数の部材を有し、前記複数の部材の位置関係を変化させた状態で前記表示シートの前面に保持されることが可能な表示部材と、を備え、設置された機器の姿勢に基づいて前記複数の部材の位置関係を変化させた前記表示部材を前記表示シートの前面に保持したときに、位置関係を変化させた前記表示部材に表記される文字列と前記表示部材から露呈される前記表示シートの前記表示部とに表記された文字列とを、設置された前記機器の姿勢に合わせた向きで表示することを特徴とする。【選択図】    図１
2016218394.tif 000002
【特許請求の範囲】
【請求項１】
機器に設けられ、文字列が表記された表示部を有する表示シートと、
前記文字列が表面及び裏面に表記された複数の部材を有し、前記複数の部材の位置関係を変化させた状態で前記表示シートの前面に保持されることが可能な表示部材と、
を備え、
設置された機器の姿勢に基づいて前記複数の部材の位置関係を変化させた前記表示部材を前記表示シートの前面に保持したときに、位置関係を変化させた前記表示部材に表記される文字列と前記表示部材から露呈される前記表示シートの前記表示部とに表記された文字列とを、設置された前記機器の姿勢に合わせた向きで表示する
ことを特徴とする表示構造。
【請求項２】
請求項１に記載の表示構造において、
前記表示シートの前記表示部は、同一形状となる複数の第１表示領域に区分されることを特徴とする表示構造。
【請求項３】
請求項２に記載の表示構造において、
前記表示部材は、
前記表示部と同一形状であり、前記表示部が有する前記複数の第１表示領域と同一形状に区分された第２表示領域を複数有するプレート本体と、
前記第１表示領域及び前記第２表示領域と同一形状であり、前記プレート本体に取り付けられる複数の補助プレートと、
を含む表示プレートであることを特徴とする表示構造。
【請求項４】
請求項３に記載の表示構造において、
前記表示部材は、前記機器が予め定めた姿勢となるときに、前記複数の補助プレートを前記プレート本体と前記表示シートの間に挟持した状態で前記表示シートに保持されることを特徴とする表示構造。
【請求項５】
請求項３又は請求項４に記載の表示構造において、
前記表示部材は、前記複数の第１の領域のうち、隣接する第１表示領域を重ね合わせるように前記プレート本体を折り返すことで、前記プレート本体が有する第２の表示領域と、前記複数の補助プレートとの位置関係を変化させることを特徴とする表示構造。
【請求項６】
請求項３又は請求項４に記載の表示構造において、
前記表示部材は、前記複数の第１の領域のうち、隣接する第１表示領域を重ね合わせるように前記プレート本体を折り返すときに、前記複数の補助プレートのいずれかの姿勢を変化させることで、前記プレート本体が有する第２の表示領域と、前記複数の補助プレートとの位置関係を変化させることを特徴とする表示構造。
【請求項７】
請求項３及び請求項６のいずれか１項に記載の表示構造において、
前記表示部材は、前記表示シートの表面に直交する方向を軸として９０度単位で回転した状態で、前記プレート本体が有する第２の表示領域と、前記複数の補助プレートとの位置関係を変化させることを特徴とする表示構造。
【請求項８】
請求項１から請求項７のいずれか１項に記載の表示構造において、
前記表示シートは、前記機器の表面パネルに貼付され、
前記表示シートに表記される文字列及び前記表示部材が有する前記複数の部材に表示される文字列は、前記機器が接続される端子部の説明を示す文字列、又は、前記端子部を介して前記機器に接続される外部機器の説明を示す文字列であることを特徴とする表示構造。
【請求項９】
請求項１から請求項８のいずれか１項に記載の表示構造において、
前記表示部材は、前記機器に設けた挿入孔に挿入される挿入片を複数備えていることを特徴とする表示構造。
【発明の詳細な説明】
【技術分野】
【０００１】
本発明は、表示構造に関する。
【背景技術】
【０００２】
従来、電子機器に実装されるコネクタなどの部材やコネクタの接続先の装置の名称を、銘板を用いて表示している。電子機器の実装状態が異なる場合、銘板に表示された文字や記号などを含む文字列（以下、文字列）の向きが人間工学的に読みづらい向きとなる。そこで、文字列の向きが異なる銘板を複数予め用意しておき、電子機器の実装状態に合わせた文字列の向きとなる銘板を選択して電子機器に貼付する方法が考案されている（特許文献１参照）。また、転写シートを利用して、銘板をリアパネルの所定位置に貼り付ける方法も考案されている（特許文献２参照）。
【先行技術文献】
【特許文献】
【０００３】
【特許文献１】実開昭６４−２２７０号公報
【特許文献２】特開平１０−１７１３５８号公報
【発明の概要】
【発明が解決しようとする課題】
【０００４】
しかしながら、特許文献１に開示される方法は、電子機器の実装状態に合わせて、文字列の向きが異なる銘板を複数用意しておく必要がある。同様にして、特許文献２に開示される方法においても、電子機器の実装状態に合わせて、文字列の向きが異なる銘板を複数用意しておく必要がある。
【０００５】
本発明は、設置される電子機器の姿勢に合わせた向きで文字列を表示させることができるようにした表示構造を提供することにある。
【課題を解決するための手段】
【０００６】
一つの観点によれば、機器に設けられ、文字列が表記された表示部を有する表示シートと、前記文字列が表面及び裏面に表記された複数の部材を有し、前記複数の部材の位置関係を変化させた状態で前記表示シートの前面に保持されることが可能な表示部材と、を備え、設置された機器の姿勢に基づいて前記複数の部材の位置関係を変化させた前記表示部材を前記表示シートの前面に保持したときに、位置関係を変化させた前記表示部材に表記される文字列と前記表示部材から露呈される前記表示シートの前記表示部とに表記された文字列とを、設置された前記機器の姿勢に合わせた向きで表示することを特徴とする。
【発明の効果】
【０００７】
本件開示によれば、設置される電子機器の姿勢に合わせた向きで文字列を表示させることができる。
【図面の簡単な説明】
【０００８】
【図１】本発明の表面構造の一例を分解して示す斜視図である。
【図２】表示シートの平面図である。
【図３】（ａ）はプレート本体の表側の面を示す平面図、（ｂ）はプレート本体の裏側の面を示す平面図である。
【図４】プレート本体に補助プレートを取り付けた状態を示す斜視図である。
【図５】（ａ）は補助プレートの表側の面を示す平面図、（ｂ）は補助プレートの裏側の面を示す平面図である。
【図６】プレート本体に２枚の補助プレートを取り付けた状態を示す斜視図である。
【図７】（ａ）は補助プレートの表側の面を示す平面図、（ｂ）は補助プレートの裏側の面を示す平面図である。
【図８】（ａ）は第１状態となる表面パネルに表示プレートを取り付ける場合を示す斜視図、（ｂ）は第１状態となる表面パネルに表示プレートを取り付けた場合を示す斜視図である。
【図９】（ａ）は第１状態となる表面パネルに取り付けられる表示プレートの一例を示す斜視図、（ｂ）は（ａ）に示す状態から、表示プレートを折り返す過程を示す斜視図、（ｃ）は第２状態となる表面パネルに表示プレートを取り付けた場合を示す斜視図である。
【図１０】（ａ）は第２状態となる表面パネルに取り付けられる表示プレートの一例を示す斜視図、（ｂ）は（ａ）に示す状態から、表示プレートを折り返す過程を示す斜視図、（ｃ）は第３状態となる表面パネルに表示プレートを取り付けた場合を示す斜視図である。
【図１１】（ａ）は第３状態となる表面パネルに取り付けられる表示プレートの一例を示す斜視図、（ｂ）は（ａ）に示す状態から、表示プレートを折り返す過程を示す斜視図、（ｃ）は第４状態となる表面パネルに表示プレートを取り付けた場合を示す斜視図である。
【発明を実施するための形態】
【０００９】
以下、本実施形態の表示装置について説明する。図１は電子機器の表面パネル１０における表示構造の一例を示す。表面パネル１０は、一例としてコネクタ端子１１，１２を露呈する。表面パネル１０は、後述する表示プレート１６が有する挿入片が挿入される挿入孔１３ａ，１３ｂ，１３ｃ，１３ｄ，１３ｅを有する。表面パネル１０は、表示シート１５、表示プレート１６が取り付けられる。
【００１０】
本実施形態の表示構造は、一例として、表面パネル１０に取り付けられる表示シート１５及び表示プレート１６により達成される。表示シート１５は表面パネル１０に貼付される。図２に示すように、表示シート１５は、シート上面に長方形状の表示部２０を有する。表示部２０は、長手方向の中点を通るｘ方向に平行な直線２１、及び短手方向の中点を通るｙ方向に平行な直線２２により４分割される。以下、４分割された領域を、領域Ａ１、領域Ａ２、領域Ａ３、領域Ａ４と称する。領域Ａ１、領域Ａ２、領域Ａ３、領域Ａ４は、略同一形状である。
【００１１】
表示シート１５は、開口２３及び開口２４を有する。開口２３は、長手方向の中点が直線２２上に位置し、且つ短手方向の中点が領域Ａ１及び領域Ａ２の長手方向の中点と一致するように設けられる。つまり、開口２３は領域Ａ１及び領域Ａ２に亘って設けられる。開口２４は、長手方向の中点が直線２２上に位置し、且つ短手方向の中点が領域Ａ３及び領域Ａ４の長手方向の中点と一致するように設けられる。つまり、開口２４は領域Ａ３及び領域Ａ４に亘って設けられる。開口２３はコネクタ端子１１を露呈し、開口２４はコネクタ端子１２を露呈する。表示シート１５は挿入口２５を有する。挿入口２５は、短手方向の中点が直線２１上に位置するように配置される。つまり、開口２５は領域Ａ１及び領域Ａ４に亘って設けられる。
【００１２】
表示シート１５は、長手方向における表示部２０の両端部で、各領域に対応する位置に挿入口２６，２７，２８，２９を有する。挿入口２６，２７，２８，２９には、表示プレート１６に設けた挿入片が各々挿入される。
【００１３】
領域Ａ１、領域Ａ２、領域Ａ３、領域Ａ４は、コネクタ端子１１の名称や、コネクタ端子１１の接続先（接続される外部機器）などを表示するための文字列が、一例として、横向き（又は横書き）で表記される。領域Ａ１は、図２中−ｙ方向を横向きとして文字列を表記する。領域Ａ２は、図２中ｘ方向を横向きとして文字列を表記する。領域Ａ３及び領域Ａ４は、図２中−ｘ方向を横向きとして文字列を表記する。なお、図２中、領域Ａ１、領域Ａ２、領域Ａ３、領域Ａ４に表記される文字の一例を、「Ａ１」、「Ａ２」、「Ａ３」、「Ａ４」で示している。
【００１４】
表面パネル１０は表示シート１５を貼付した状態で、表示プレート１６を保持する。図１、図３及び図４に示すように、表示プレート１６は、プレート本体３５と、２つの補助プレート３６，３７とを組み合わせた部材である。プレート本体３５は長方形の薄板で、表示シート１５における表示部２０と同一の形状である。プレート本体３５は、長手方向の中点を通るｘ方向に平行な直線３８、及び短手方向の中点を通るｙ方向に平行な直線３９により４分割される。以下、４分割された領域を、領域Ｂ１、領域Ｂ２、領域Ｂ３、領域Ｂ４と称する。
【００１５】
プレート本体３５は、開口４１及び開口４２を有する。開口４１は、長手方向の中点が直線３９上に位置し、且つ短手方向の中点が領域Ｂ１及び領域Ｂ２の長手方向の中点と一致するように配置される。開口４１は、領域Ｂ１を切り欠いた開口形成部４１ａと、領域Ｂ２を切り欠いた開口形成部４１ｂとを有する。開口４２は、長手方向の中点が直線３９上に位置し、且つ短手方向の中点が領域Ｂ３及び領域Ｂ４の長手方向の中点と一致するように配置される。開口４２は、領域Ｂ３を切り欠いた開口形成部４２ａと、領域Ｂ４を切り欠いた開口形成部４２ｂとを有する。したがって、プレート本体３５の各領域は、隣り合う領域との関係が線対称の関係となり、対角線上に位置する領域との関係が点対称の関係となる。なお、プレート本体３５は、領域Ｂ３及び領域Ｂ４の境界線に沿って切り込まれる。プレート本体３５は、長手方向の両端部で、且つ領域Ｂ１、領域Ｂ２、領域Ｂ３、領域Ｂ４に対応する位置に挿入片４３，４４，４５，４６を有する。
【００１６】
プレート本体３５の領域Ｂ１、領域Ｂ２、領域Ｂ３、領域Ｂ４は、文字及び記号などの文字列を表側の面（以下、表面）及び裏側の面（以下、裏面）の各々に表記する。
【００１７】
図３（ａ）に示すように、領域Ｂ１、領域Ｂ２、領域Ｂ３、領域Ｂ４の表面は、文字列を図３（ａ）中ｙ方向を横向きとして表記する。図３（ａ）中においては、領域Ｂ１、領域Ｂ２、領域Ｂ３、領域Ｂ４に表記される文字の一例を、「Ｂ１表」、「Ｂ２表」、「Ｂ３表」、「Ｂ４表」で示している。
【００１８】
図３（ｂ）に示すように、領域Ｂ１及び領域Ｂ２は、図３（ｂ）中ｘ方向を横向きとして文字列を表記する。領域Ｂ３は、図３（ｂ）中−ｘ方向を横向きとして文字列を表記する。領域Ｂ４は、図３（ｂ）中−ｙ方向を横向きとして文字列を表記する。図３（ｂ）中においては、領域Ｂ１、領域Ｂ２、領域Ｂ３、領域Ｂ４に表記される文字の一例を、「Ｂ１裏」、「Ｂ２裏」、「Ｂ３裏」、「Ｂ４裏」で示している。
【００１９】
図４及び図５に示すように、補助プレート３６は、プレート本体３５に取り付けられる部材である。補助プレート３６は、長方形の薄板で、プレート本体３５の領域Ｂ１と同一の形状である。補助プレート３６は、長手方向の一端部に挿入片４８を有する。また、補助プレート３６は短手方向の一端部（図５（ａ）中上端部）が切り欠かれている。切り欠かれた部分は、プレート本体３５が有する４つの領域Ｂ１、領域Ｂ２、領域Ｂ３、領域Ｂ４のいずれか１つの領域、又は表示シート１５の開口２３又は開口２４と組み合わされる開口形成部４９として機能する。補助プレート３６は、プレート本体３５の領域Ｂ１の裏面側に重ねた状態で、挿入片４８を有する一端とは反対側となる他端側において、粘着テープ５０等を用いてプレート本体３５に貼付される。
【００２０】
補助プレート３６の表面及び裏面には、文字列が表記される。図５（ａ）に示すように、補助プレート３６の表面は、図５（ａ）中ｘ方向を横向きとして文字列を表記する。図５（ａ）中においては、補助プレート３６の表面に表記される文字の一例を、「Ｃ表」で示している。図５（ｂ）に示すように、補助プレート３６の裏面は、図５（ｂ）中−ｙ方向を横向きとして文字列を表記する。図５（ｂ）中においては、補助プレート３６の裏面に表記される文字の一例を、「Ｃ裏」で示している。
【００２１】
図６及び図７に示すように、補助プレート３７は、プレート本体３５に取り付けられる部材である。補助プレート３７は、長方形の薄板である。補助プレート３７は、長手方向の両端部に、挿入片５３，５４を有する。補助プレート３７は、挿入片５３を除いた形状が、プレート本体３５の領域Ｂ４と同一形状である。補助プレート３７は、短手方向の一端部（図５（ａ）中上端部）が切り欠かれている。切り欠かれた部分は、プレート本体３５が有する４つの領域Ｂ１、領域Ｂ２、領域Ｂ３、領域Ｂ４のいずれか１つの領域、又は表示シート１５の開口２３又は開口２４と組み合わされる開口形成部５５として機能する。補助プレート３７は、プレート本体３５の領域Ｂ４の裏面側に位置した状態で、挿入片５４が設けられる一端側で粘着テープ５２等を貼付することで、プレート本体３５の領域Ｂ３に取り付けられる。
【００２２】
補助プレート３７の表面及び裏面には、文字列が表記される。図７（ａ）に示すように、補助プレート３７の表面は、図７（ａ）中−ｙ方向を横向きとして文字列を表記する。図７（ａ）中においては、補助プレート３７の表面に表記される文字の一例を、「Ｄ表」で示している。図７（ｂ）に示すように、補助プレート３７の裏面は、図７（ｂ）中−ｘ方向を横向きとして文字列を表記する。図７（ｂ）中においては、補助プレート３７の裏面に表記される文字の一例を、「Ｄ裏」で示している。
【００２３】
次に、本実施形態の表示シート１５及び表示プレート１６を用いた表示方法について説明する。以下、電子機器を設置する作業者が、図８から図１１におけるｘｙｚ座標の中心に位置する場合を説明する。まず、表面パネル１０を上面として電子機器が設置されたときに、電子機器の表面パネル１０に貼付される表示シート１５の領域Ａ１及び領域Ａ４が、作業者側に位置する場合を説明する。領域Ａ１及び領域Ａ４が作業者側に位置する場合の表示シート１５の状態を第１状態として説明する。
【００２４】
電子機器が設置された後、表示プレート１６は表面パネル１０に取り付けられる。プレート本体３５に取り付けられた補助プレート３６は、プレート本体３５の領域Ｂ１の裏面側に重ねられる。補助プレート３６は、プレート本体３５の領域Ｂ１と同一形状である。したがって、補助プレート３６がプレート本体３５の領域Ｂ１の裏面側に重ねられると、補助プレート３６は、プレート本体３５の領域Ｂ１に被覆された状態となる。
【００２５】
また、プレート本体３５に取り付けられた補助プレート３７は、プレート本体３５の領域Ｂ４の裏面側に重ねられる。補助プレート３７は、プレート本体３５の領域Ｂ４と同一形状である。したがって、補助プレート３７がプレート本体３５の領域Ｂ４の裏面側に重ねられると、補助プレート３７は、プレート本体３５の領域Ｂ４に被覆された状態となる。
【００２６】
表示プレート１６は、プレート本体３５の領域Ｂ１を表示シート１５の領域Ａ１の上方に、領域プレート本体３５の領域Ｂ２を表示シート１５の領域Ａ２の上方に位置するように、表示シート１５の表側に重ねられる。また、プレート本体３５の領域Ｂ３は表示シート１５の領域Ａ３の上方に、プレート本体３５の領域Ｂ４は表示シート１５の領域Ａ４の上方に位置するように、表示シート１５の表側に重ねられる。
【００２７】
図８（ａ）に示すように、表示プレート１６は、表示プレート１６の各領域の表面を上面とした状態で、補助プレート３７の挿入片５３を表面パネル１０の挿入口１３ｅに挿入し、表示プレート１６を表示シート１５の表側に重ねる。プレート本体３５の領域Ｂ２に設けられた挿入片４４は、表面パネル１０の挿入口１３ａに挿入される。プレート本体３５の領域Ｂ１に設けられた挿入片４３及び補助プレート３６に設けられた挿入片４８は、表面パネル１０の挿入口１３ｂに挿入される。プレート本体３５の領域Ｂ３に設けられた挿入片４５は、表面パネル１０の挿入口１３ｃに挿入される。プレート本体３５の領域Ｂ４に設けられた挿入片４６及び補助プレート３７に設けられた挿入片５４は、表面パネル１０の挿入口１３ｄに挿入される。
【００２８】
図８（ｂ）に示すように、表示プレート１６が表面パネル１０に取り付けられると、表示プレート１６は、表示シート１５の表示部２０を被覆し、プレート本体３５の領域Ｂ１、領域Ｂ２、領域Ｂ３、領域Ｂ４の表面を各々露呈した状態となる。プレート本体３５の領域Ｂ１、領域Ｂ２、領域Ｂ３、領域Ｂ４の表面に表記される文字や記号の文字列は、図８中ｙ方向を横向きとして表記される。したがって、表示シート１５を第１状態となる表面パネル１０に取り付けると、文字列は図８中ｙ方向を横向きとして表示される。
【００２９】
次に、表面パネル１０を上面として電子機器が設置されたときに、表面パネル１０に貼付される表示シート１５が第１状態から９０°回転した状態となる場合を説明する。表面パネル１０に貼付される表示シート１５が第１状態から９０°回転した状態とは、例えば電子機器の表面パネル１０に貼付される表示シート１５の領域Ａ３及び領域Ａ４が、作業者側に位置する状態である。以下、表示シート１５が第１状態から９０°回転した状態を第２状態と称する。
【００３０】
図９（ａ）及び図９（ｂ）に示すように、プレート本体３５は長手方向をｙ方向とした状態から、ｚ軸を回転中心として、図９（ａ）中Ｒ方向に９０°回転される。図９（ａ）中Ｒ方向に９０°回転された後、プレート本体３５は、領域Ｂ１及び領域Ｂ４の境界と、領域Ｂ２及び領域Ｂ３の境界とを通る直線６０を折り返し線として、領域Ｂ１及び領域Ｂ２を領域Ｂ３及び領域Ｂ４に向けて（図９（ｂ）中Ｓ方向に）１８０°折り返す。領域Ｂ１及び領域Ｂ２を１８０°折り返すと、領域Ｂ１は領域Ｂ４の表面側に重ねられ、領域Ｂ２は領域Ｂ３の表面側に重ねられる。表示プレート１６は、プレート本体３５の領域Ｂ１の裏面、領域Ｂ２の裏面、プレート本体３５の領域Ｂ１の裏側に重ねられていた補助プレート３６の表面が上面となる。領域Ｂ１及び領域Ｂ２を１８０°折り返したときには、領域Ｂ１及び領域Ｂ２に亘って設けられた開口４１は、領域Ｂ３及び領域Ｂ４に亘って設けられた開口４２と重なっている。
【００３１】
表示プレート１６のプレート本体３５の領域Ｂ１及びＢ２を１８０°折り返した後、表示プレート１６は表面パネル１０に取り付けられる。補助シート３７の挿入片５３は、表面パネル１０の挿入口１３ｅに挿入される。補助プレート３６に設けられた挿入片４８は、表面パネル１０の挿入口１３ｂに挿入される。プレート本体３５の領域Ｂ３に設けた挿入片４５及び領域Ｂ２に設けられた挿入片４４は、表面パネル１０の挿入口１３ｃに挿入される。また、補助プレート３７に設けられた挿入片５４、プレート本体３５の領域Ｂ４に設けた挿入片４６及び領域Ｂ１に設けられた挿入片４３は、表面パネル１０の挿入口１３ｄに挿入される。
【００３２】
図９（ｃ）に示すように、表示プレート１６が表面パネル１０に取り付けられると、表示プレート１６は、補助プレート３６の表面、プレート本体３５の領域Ｂ１及び領域Ｂ２の裏面を露呈する。また、表示シート１５は、領域Ａ１、領域Ａ３及び領域Ａ４が表示プレート１６により被覆され、領域Ａ２のみを露呈する。
【００３３】
表示シート１５の領域Ａ２は、図８（ａ）中ｘ方向を横行きとして文字列を表記している。プレート本体３５の領域Ｂ１及び領域Ｂ２の裏面は、図３（ｂ）中ｘ方向を横向きとして文字列を表記している。補助プレート３６の表面は、図５（ａ）中ｘ方向を横行きとして文字列を表記している。電子機器の表面パネル１０に貼付される表示シート１５が第２状態となる場合、表示シート１５の向きは第１状態のときの表示シート１５の向きから図９中ｚ方向に９０°回転している。したがって、露呈される表示シート１５の領域Ａ２に表記される文字列の向きも９０°回転し、図９（ｃ）中ｙ方向を横向きとして表示される。また、表示プレート１６は、図９（ａ）中ｚ方向に９０°回転された後、プレート本体３５の領域Ｂ１及び領域Ｂ２は折返線６０を基準として１８０°折り返されている。したがって、領域Ｂ１及び領域Ｂ２に表記される文字列は図９（ｃ）中ｙ方向を横向きとして表示される。さらに、補助プレート３６は、図９（ａ）中ｚ方向に９０°回転されているので、補助プレート３６に表記される文字列も図９（ｃ）中ｙ方向を横向きとして表示される。したがって、表面パネル１０を第２状態となるように電子機器を設置した場合であっても、文字列は、表示シート１５が第１状態となる場合と同様の向きで表示することが可能となる。
【００３４】
次に、表面パネル１０を上面として電子機器が設置されたときに、表面パネル１０に貼付される表示シート１５が第１状態から１８０°回転した状態となる場合を説明する。表面パネル１０に貼付される表示シート１５が第１状態から１８０°回転した状態とは、例えば電子機器の表面パネル１０に貼付される表示シート１５の領域Ａ２及び領域Ａ３が作業者側に位置する状態である。以下、表示シート１５が第１状態から１８０°回転した状態を第３状態と称する。
【００３５】
表示プレート１６が折り返されていない場合、表示プレート１６は、第１状態となる表示シート１５に対して取り付けられる形態から、第２状態となる表示シート１５に対して取り付けられる形態となるように折り返される。詳細には、表示プレート１６はｚ軸を中心として９０°回転され、プレート本体３５の領域Ｂ１及び領域Ｂ２は領域Ｂ３及び領域Ｂ４に向けて１８０°折り返される。
【００３６】
なお、表面パネル１０の表示シート１５が第２状態から第３状態となるように電子機器を設置し直す場合には、プレート本体３５は、第２状態となる表示シート１５に取り付けることができる状態となっている。したがって、表面パネル１０の表示シート１５が第２状態から第３状態となるように電子機器を設置し直す場合には、以下の作業のみが実行される。
【００３７】
第２状態となる表示シート１５に対して取り付けられる状態の表示プレート１６は、図１０（ａ）中ｚ軸を中心として図１０（ａ）中Ｒ方向に９０°回転される。表示プレート１６を図１０（ａ）中ｚ軸を中心として９０°回転させた後、プレート本体３５の領域Ｂ４及び領域Ｂ１と、補助プレート３６とは、折返線６１を基準にして、図１０（ｂ）中Ｔ方向に１８０°折り返される。図１０（ｂ）中Ｔ方向に１８０°折り返されると、プレート本体３５の領域Ｂ１及び領域Ｂ４は、プレート本体３５の領域Ｂ２及び領域Ｂ３と重ねられる。したがって、表示シート１５は、プレート本体３５の領域Ｂ４の裏面、補助プレート３６の裏面及び補助プレート３７の表面が上面となる。プレート本体３５の領域Ｂ１、領域Ｂ２、領域Ｂ３、領域Ｂ４は折り返されて積層された状態となる。したがって、開口形成部４２ｂ，４１ｂ，４２ａも重ねられた状態となり、補助プレート３７の開口形成部５５との間で開口を形成する。
【００３８】
プレート本体３５の領域Ｂ４及び領域Ｂ１と、補助プレート３６とを折り返した後、表示シート１５は表面パネル１０に取り付けられる。補助プレート３７の挿入片５３は、表面パネル１０の挿入口１３ｅに挿入される。補助プレート３６に設けられた挿入片４８は、表面パネル１０の挿入口１３ａに挿入される。プレート本体３５の領域Ｂ１、領域Ｂ２、領域Ｂ３、領域Ｂ４に設けた挿入片４３，４４，４５，４６の挿入片４８は表面パネル１０の挿入口１３ｃに、補助プレート３６の挿入片４８は表面パネル１０の挿入口１３ａに挿入される。また、補助プレート３７に設けられた挿入片５４は、表面パネル１０の挿入口１３ｄに挿入される。
【００３９】
図１０（ｃ）に示すように、表示プレート１６が表面パネル１０に取り付けられると、表示プレート１６は、プレート本体３５の領域Ｂ４の裏面、補助プレート３６の裏面及び補助プレート３７の表面を露呈する。表示シート１５は、領域Ａ２、領域Ａ３及び領域Ａ４が表示プレート１６により被覆され、領域Ａ１のみを露呈する。
【００４０】
表示シート１５の領域Ａ１は、図８（ａ）中−ｙ方向を横向きとして文字列を表記している。プレート本体３５の領域Ｂ４の裏面は、図３（ｂ）中−ｙ方向を横向きとして文字列を表記している。補助プレート３６の裏面は、図５（ｂ）中−ｙ方向を横向きとして文字列を表記している。電子機器の表面パネル１０に貼付される表示シート１５が第３状態となる場合、表示シート１５の向きは第１状態のときの表示シート１５の向きから図１０中ｚ方向に１８０°回転している。したがって、露呈される表示シート１５の領域Ａ１に表記される文字列も１８０°回転して、図１０（ｃ）中ｙ方向を横向きとして表示される。プレート本体３５の領域Ｂ４の裏面は、図１０中ｚ方向に１８０°回転した後、１８０°折り返されている。したがって、プレート本体３５の領域Ｂ４の裏面に表記される文字列は図１０（ｃ）中ｙ方向を横向きとして表示される。また、補助プレート３６，３７は、図１０中ｚ方向に１８０°回転しているだけなので、補助プレート３６，３７の表面に表記される文字列も、図１０（ｃ）中ｙ方向を横向きとして表示される。したがって、表面パネル１０を第３状態となるように電子機器を設置した場合であっても、文字列は、表示シート１５が第１状態となる場合と同様の向きで表示することが可能となる。
【００４１】
最後に、表面パネル１０を上面として電子機器が設置されたときに、表面パネル１０に貼付される表示シート１５が第１状態から２７０°回転した状態となる場合を説明する。表面パネル１０に貼付される表示シート１５が第１状態から２７０°回転した状態とは、例えば電子機器の表面パネル１０に貼付される表示シート１５の領域Ａ１及び領域Ａ２が作業者側に位置する状態である。以下、表示シート１５が第１状態から２７０°回転した状態を第４状態と称する。
【００４２】
表示プレート１６が折り返されていない場合、表示プレート１６は、第１状態となる表示シート１５に対して取り付けられる形態から、第３状態となる表示シート１５に対して取り付けられる形態となるように折り返される。また、表示シート１５が第２状態から第４状態となるように電子機器を設置し直す場合、表示プレート１６は、第２状態となる表示シート１５に対して取り付けられる形態から、第３状態となる表示プレート１５に取り付けられる状態となるように折り返される。
【００４３】
なお、表面パネル１０の表示シート１５が第３状態から第４状態となるように電子機器を設置し直す場合には、プレート本体３５は、第３状態となる表示シート１５に取り付けることができるように折り返されている。したがって、表面パネル１０の表示シート１５が第３状態から第４状態となるように電子機器を設置し直す場合には、以下の作業のみが実行される。
【００４４】
表示プレート１６は、領域Ｂ４の裏面、補助プレート３６の裏面及び補助プレート３７の表面が上面となるように折り返されている。表示プレート１６は、図１１（ａ）中ｚ軸を中心として図１１（ａ）中Ｒ方向に９０°回転される。表示プレート１６を図１１（ａ）中ｚ軸を中心として９０°回転させた後、表示プレート１６の領域Ｂ１、領域Ｂ２、領域Ｂ３及び領域Ｂ４及び補助プレート３７は、折返線６２を基準として、図１１（ｂ）中Ｕ方向に１８０°折り返される。領域Ｂ１、領域Ｂ２、領域Ｂ３及び領域Ｂ４が図１１（ｂ）中Ｕ方向に１８０°折り返されると、領域Ｂ４の裏面と補助プレート３６の裏面とが当接され、領域Ｂ３の裏面が上面となる。領域Ｂ１、領域Ｂ２、領域Ｂ３及び領域Ｂ４が図１１（ｂ）中Ｕ方向に１８０°折り返されたときには、補助プレート３６も図１１（ｂ）中Ｕ方向に１８０°折り返される。したがって、補助プレート３６の裏面が上面となる。
【００４５】
表示プレート１６の領域Ｂ１、領域Ｂ２、領域Ｂ３、領域Ｂ４及び補助プレート３７を図１１（ｂ）中Ｕ方向に１８０°折り返した状態で、表示プレート１６は表面パネル１０に取り付けられる。補助プレート３７の挿入片５３は、表面パネル１０の挿入口１３ｅに挿入される。補助プレート３７に設けられた挿入片５４は、表面パネル１０の挿入口１３ｂに挿入される。プレート本体３５の領域Ｂ１、領域Ｂ２、領域Ｂ３、領域Ｂ４に設けた挿入片４３，４４，４５，４６は、表面パネル１０の挿入口１３ａに挿入される。
【００４６】
図１１（ｃ）に示すように、表示プレート１６が表面パネル１０に取り付けられると、表示プレート１６は、プレート本体３５の領域Ｂ３の裏面、及び補助プレート３７の裏面を露呈する。また、表示シート１５は、領域Ａ１及び領域Ａ２が表示プレート１６に被覆され、領域Ａ３及び領域Ａ４を露呈する。この状態では、プレート本体３５の領域Ｂ１、領域Ｂ２、領域Ｂ３、領域Ｂ４が折り返されることで重ねられた後、さらに、補助プレート３６上に重ねられる。したがって、開口形成部４２ｂ、開口形成部４１ｂ、開口形成部４１ａ、開口形成部４２ａ及び開口形成部４９が重ねられた状態となり、補助プレート３７の開口形成部５５との間で開口を形成する。
【００４７】
表示シート１５の領域Ａ３及び領域Ａ４は、図８（ａ）中−ｘ方向を横向きとして文字列を表記している。プレート本体３５の領域Ｂ３の裏面は、図３（ｂ）中−ｘ方向を横向きとして文字列を表記している。また、補助プレート３７の裏面は、図５（ｂ）中−ｘ方向を横向きとして文字列を表記している。ここで、表示シート１５が第１状態から第４状態となる場合、図１１中ｚ軸を中心に２７０°回転することから、表示シート１５の領域Ａ３及び領域Ａ４に表記される文字列は、図１１（ａ）中ｙ方向を横向きとして表示される。プレート本体３５の領域Ｂ３の裏面は、第３状態となる表示シートに取り付ける状態から、図１１中ｚ軸を中心に９０°回転された後、１８０°折り返される。したがって、プレート本体３５の領域Ｂ３の裏面に表記される文字列は、図１１（ａ）中ｙ方向を横向きとして表示される。補助プレート３７は、第１状態となる表示シートに取り付けられる状態から、図１１中ｚ方向に２７０回転された後、１８０°折り返される。したがって、補助プレート３７の裏面に表記される文字列は、図１１（ａ）中ｙ方向を横向きとして表示される。したがって、表面パネル１０を第４状態となるように電子機器を設置した場合であっても、文字列は、表示シート１５が第１状態となる場合と同様の向きで表示することが可能となる。
【００４８】
本実施形態においては、表面パネル１０を上面となるように電子機器を取り付ける場合を示しているが、表面パネル１０を側面として電子機器を取り付ける場合も同様である。
【００４９】
本実施形態では、表示シートの表示領域や表示プレートの形状を長方形としているが、円形、楕円形等とすることも可能である。
【００５０】
本実施形態では、表示プレートの構成は一例を開示したに過ぎず、切り込みを入れる箇所や表示状態を変える場合の表示プレートの折り返し方法については、適宜設定されるものである。
【００５１】
本実施形態では、表示シートが貼付された表示パネルに表示プレートを取り付けているが、表示プレートの脱落を防止するために、表示プレートを取り付けた表示パネルの表面に、ガラスや透明な合成樹脂材などのシートを取り付けることも可能である。
【００５２】
本実施形態では、電子機器の表面パネルに表示シートや表示プレートを取り付ける場合について説明しているが、電子機器のバックボード等に表示シート及び表示プレートを取り付けることも可能である。
【符号の説明】
【００５３】
１０…表面パネル、１５…表示シート、１６…表示プレート、３５…プレート本体、３６，３７…補助プレート
【図１】
2016218394.tif 000003
【図２】
2016218394.tif 000004
【図３】
2016218394.tif 000005
【図４】
2016218394.tif 000006
【図５】
2016218394.tif 000007
【図６】
2016218394.tif 000008
【図７】
2016218394.tif 000009
【図８】
2016218394.tif 000010
【図９】
2016218394.tif 000011
【図１０】
2016218394.tif 000012
【図１１】
2016218394.tif 000013